(57)【要約】  本発明は、ノズルチップと振動モーターが互いに分離形成されるので、ノズルチップの振動効率を最大化させてクリーンな洗浄を可能にし、ノズルチップがノズルカバーの先端内側の一部にのみ結合されるためノズルチップのサイズを小型化して製造コストを節減し、ノズルチップに連結される洗浄水供給管が振動モーターのシャフトの両側に配置されるためノズルの直径を最小限に抑えることができるうえ、別途の水路を形成する構造物が必要ないため製造コストを節減することができる、ビデの振動ノズルに関する。【選択図】図１
2021517939.tif 000002
【特許請求の範囲】
【請求項１】
ビデ本体内の前後方に移動可能に配置されるノズルカバー；
前記ノズルカバーの先端内側に振動モーターから分離結合されて洗浄水が噴出されるノズルチップ；
前記ノズルチップから一定距離離隔しているノズルカバーの内側に結合され、シャフトによってノズルチップに連結されて前記ノズルチップに振動を与える振動モーター；
前記ノズルチップの連結具にそれぞれ結合され、前記シャフトの両側に配置されて洗浄水噴出孔とビデ噴出孔へ洗浄水を供給する洗浄水供給管；
前記振動モーターの先端部と後端部にそれぞれ結合され、ノズルカバーの内周面に密着して振動モーターによる振動伝達を防止するようにし、中央にシャフトが位置するように貫通孔が設けられ、前記貫通孔の両側に連通して洗浄水供給管をそれぞれ収容して支持する収容空間が設けられる防振部材；及び
前記ノズルカバーの後端に結合され、振動モーターがノズルカバーから離脱しないようにする閉止カバー；を含んでなることを特徴とする、ビデの振動ノズル。
【請求項２】
ノズルチップは、
前記洗浄水噴出孔と前記ビデ噴出孔がそれぞれ形成されるボディ、
前記ボディの後端に形成され、前記振動モーターのシャフトが結合される結合具、及び
前記結合具の両側に形成され、前記洗浄水供給管が連結される連結具を備えることを特徴とする、請求項１に記載のビデの振動ノズル。
【請求項３】
前記洗浄水供給管は、フレキシブルなホースで形成され、配置位置を選択的に可変させることを特徴とする、請求項１に記載のビデの振動ノズル。
【請求項４】
前記洗浄水供給管の先端部は、前記ノズルチップの連結具に連結されるように内側に段差部が形成されることを特徴とする、請求項１に記載のビデの振動ノズル。
【請求項５】
前記閉止カバーは、中央が開口して、前記洗浄水供給管がビデの内側に連結されるように案内空間が設けられ、下部には、前記防振部材の後方に密着して振動モーターを支持する支持片が設けられることを特徴とする、請求項１に記載のビデの振動ノズル。
【発明の詳細な説明】
【技術分野】
【０００１】
本発明は、ビデの振動ノズルに係り、より詳細には、ノズルチップと振動モーターが互いに分離形成されるので、ノズルチップの振動効率を最大化させてクリーンな洗浄を可能にし、ノズルチップがノズルカバーの先端内側の一部にのみ結合されるためノズルチップのサイズを小型化して製造コストを節減し、ノズルチップに連結される洗浄水供給管が振動モーターのシャフトの両側に配置されるためノズルの直径を最小限に抑えることができるうえ、別途の水路を形成する構造物が必要ないため製造コストを節減することができる、ビデの振動ノズルに関する。
【背景技術】
【０００２】
一般に、ビデは、人体の肛門と局部を洗浄するために便器に設置されて使用されるものである。このビデには、用便の後に、ノズルを介して噴出される洗浄水でトイレペーパーなしに肛門を洗浄する肛門洗浄、前記洗浄水で女性の局部を洗浄する局部洗浄、及び洗浄水が噴出されるノズルを連続反復的に前・後進させてマッサージ効果が得られるようにするマッサージ洗浄などがある。
【０００３】
しかし、上述したような洗浄を行うことができるように備えられるノズルは、ビデ内の洗浄水タンクを介して吐水される洗浄水が洗浄孔から直水型に噴出されるので、洗浄部位を効果的に洗浄することができないという問題点があった。
【０００４】
かかる問題点を解決するために、韓国実用新案登録第２０−０４１１５３０号にはビデノズルの噴出チップ構造が開示されている。
【０００５】
ところが、このビデノズルの噴出チップ構造は、ビデタンクから供給される洗浄水によって回転部材が回転しながら洗浄孔の開放及び閉鎖動作を繰り返して洗浄水を噴出するので、消費される洗浄水の量を減らし且つ洗浄効率を増大させることができるが、洗浄水が一時に一定量ずつ噴出されるので、洗浄水の水圧による痛みを感じさせるおそれがあるだけでなく、ユーザーに違和感を与えるという問題点があった。
【０００６】
かかる問題点を解決するために、韓国実用新案登録第２０−０４２２５４６号にはビデノズルの振動装置が開示されている。
【０００７】
ところが、上述したようなビデノズルの振動装置は、流路が形成されたノズルに振動部が内蔵され、ビデのボタン信号に応じて振動部材が回転しながらノズルを振動させて洗浄水を噴出するので、洗浄部位を広げて容易に洗浄するという利点はあるが、振動部がノズルの内側に一体的に装着されるため、ノズルの振動幅が小さくて洗浄力に劣るだけでなく、ノズルに振動を起こす振動部材がノズル管と直交するように装着されるか或いは垂直方向に装着されるので、洗浄孔を介して噴出される水流に活発なアクションを付与するには限界があった。
【発明の概要】
【発明が解決しようとする課題】
【０００８】
そこで、本発明は、上述したような従来の諸般問題点に鑑みてなされたもので、その目的は、ノズルチップと振動モーターが互いに分離形成されるので、ノズルチップの振動効率を最大化させてユーザーの洗浄部位をより清潔に洗浄することができる、ビデの振動ノズルを提供することにある。
【０００９】
また、本発明の他の目的は、ノズルチップがノズルカバーの先端内側の一部にのみ結合されてノズルチップのサイズを小型化するため、製造コストを節減することができる、ビデの振動ノズルを提供することにある。
【００１０】
また、本発明の別の目的は、ノズルチップに連結される洗浄水供給管が振動モーターのシャフトの両側に配置されるためノズルの直径を最小限に抑えることができるうえ、別の水路を形成する構造物がないため製造コストを大幅に節減させることができる、ビデの振動ノズルを提供することにある。
【課題を解決するための手段】
【００１１】
本発明に係るビデの振動ノズルは、ビデ本体内の前後方に移動可能に配置されるノズルカバー；
前記ノズルカバーの先端内側に振動モーターから分離結合されて洗浄水が噴出されるノズルチップ；
前記ノズルチップと一定距離離隔しているノズルカバーの内側に結合され、シャフトによってノズルチップに連結されて前記ノズルチップに振動を与える振動モーター；
前記ノズルチップの連結具にそれぞれ結合され、前記シャフトの両側に配置されて洗浄水噴出孔とビデ噴出孔へ洗浄水を供給する洗浄水供給管；
前記振動モーターの先端部と後端部にそれぞれ結合されて供給管を収容し、ノズルカバーの内周面に密着して振動モーターによる振動伝達を防止する防振部材；及び
前記ノズルカバーの後端に結合され、振動モーターがノズルカバーから離脱しないようにする閉止カバー；を含んで構成される。
【００１２】
また、ノズルチップは、洗浄水噴出孔とビデ噴出孔がそれぞれ形成されるボディ、
前記ボディの後端に形成され、振動モーターのシャフトが結合される結合具、及び
前記結合具の両側に形成され、洗浄水供給管が連結される連結具を備える。
【００１３】
また、前記洗浄水供給管は、フレキシブルなホースで形成され、配置位置を選択的に可変させることができる。
【００１４】
また、前記防振部材は、中央にシャフトが位置するように貫通孔が設けられ、前記貫通孔の両側に連通し、洗浄水供給管をそれぞれ収容して支持する収容空間が設けられる。
【００１５】
また、前記洗浄水供給管の先端部は、ノズルチップの連結具に連結されるように内側に段差部が形成される。
【００１６】
また、前記閉止カバーは、中央が開口して、洗浄水供給管がビデの内側に連結されるように案内空間が設けられ、下部には、防振部材の後方に密着して振動モーターを支持する支持片が設けられる。
【発明の効果】
【００１７】
本発明に係るビデの振動ノズルによれば、ノズルチップと振動モーターが互いに分離形成されるので、ノズルチップの振動効率を最大化させてユーザーの洗浄部位をより清潔に洗浄することができるため、製品に対するユーザーの信頼性を向上させるという効果がある。
【００１８】
また、本発明に係るビデの振動ノズルによれば、ノズルチップがノズルカバーの先端内側の一部にのみ結合されてノズルチップのサイズを小型化するため、製造コストを節減して経済性を確保することができるという効果がある。
【００１９】
また、本発明に係るビデの振動ノズルによれば、ノズルチップに連結される洗浄水供給管が振動モーターのシャフトの両側に配置されるためノズルの直径を最小限に抑えることができるだけでなく、別途の水路を形成する構造物が必要ないため製造コストを大幅に節減することができるという効果がある。
【図面の簡単な説明】
【００２０】
【図１】本発明の分離斜視図である。
【図２】本発明の平断面図である。
【図３】本発明の側断面図である。
【図４】本発明の洗浄水供給管が振動モーターの両側に配置された状態の正断面図である。
【図５】本発明の作動状態図である。
【図６】本発明の作動状態図である。
【発明を実施するための形態】
【００２１】
以下、添付図面に基づいて本発明の一実施形態を詳細に説明する。
【００２２】
図１は本発明の分離斜視図、図２は本発明の平断面図、図３は本発明の側断面図である。
【００２３】
本発明に係るビデの振動ノズル１００は、ノズルカバー１１０、ノズルチップ１２０、振動モーター１３０、洗浄水供給管１４０、防振部材１５０及び閉止カバー１６０で構成されるものである。次に、これをより具体的に説明する。
【００２４】
まず、ノズルカバー１１０は、前記ノズルチップ１２０、振動モーター１３０、洗浄水供給管１４０及び防振部材１５０を収容することができる長さに形成され、樹脂材またはステンレス鋼材質で形成されることが好ましい。
【００２５】
また、ノズルチップ１２０は、ノズルカバー１１０の先端に結合され、前記ノズルチップ１２０の後方に結合される振動モーター１３０から一定距離離隔するように結合される。
【００２６】
前記ノズルチップ１２０は、内部に洗浄水噴出孔１２１ａとビデ噴出孔１２１ｂがそれぞれ形成されるボディ１２１が設けられ、前記ボディ１２１の後端中央には結合具１２２が突設されることにより、振動モーター１３０のシャフト１３１が結合される。
【００２７】
前記結合具１２２の両側には、洗浄水供給管１４０に連結されてそれぞれ洗浄水噴出孔１２１ａとビデ噴出孔１２１ｂを介して洗浄水が供給されるように連結具１２３が形成される。
【００２８】
前記ノズルチップ１２０は、ノズルカバー１１０の全体ではなく、先端の一部にのみ装着されるように小型に形成されるので、製造コストを最小限に抑えることができる。
【００２９】
また、前記ノズルカバー１１０の内側には、ノズルチップ１２０に振動を付与する振動モーター１３０が結合される。
【００３０】
前記振動モーター１３０の内部構造は、通常の振動モーターと同一であり、ビデのコントロール部と電気的に接続されている。
【００３１】
前記振動モーター１３０は、ノズルチップ１２０の後方における、ノズルチップ１２０から一定距離離隔している位置に結合され、前記ノズルチップ１２０と振動モーター１３０との間には、いかなる構造物の妨害もないように空き空間が形成され、前記空き空間の長さは、シャフト１３１の長さに対応して縮小またはさらに延長され得る。
【００３２】
前記振動モーター１３０のセンターに備えられたシャフト１３１は、ノズルチップ１２０の後端に形成された結合具１２２に結合され、振動モーター１３０の作動によって発生する振動をノズルチップ１２０に伝達する。
【００３３】
また、前記ノズルチップ１２０に形成された連結具１２３には、洗浄水供給管１４０がそれぞれ結合されて連結される。
【００３４】
前記洗浄水供給管１４０は、フレキシブルなホースで形成され、水路の位置を自由自在に変更可能であり、前記洗浄水供給管１４０の先端部は、内側に段差部１４１が形成されて連結具１２３との結合を容易にする。
【００３５】
前記洗浄水供給管１４０は、結合具１２２の両側に形成された連結具１２３に連結され、振動モーター１３０のシャフト１３１を中心に両側に位置し、前記洗浄水供給管１４０は、結合される個数に応じて位置変更が可能であり、振動モーター１３０の設置方向に応じて位置変更も可能である。
【００３６】
したがって、上述したように洗浄水供給管１４０がホースで形成されるので、別途の樹脂からなる管体を形成する必要がないため、製造コストを最小限に抑えることができ、状況に応じて水路の位置を可変させることができる。
【００３７】
また、前記振動モーター１３０の先端部と後端部には、軟質の防振部材１５０がそれぞれ結合される。
【００３８】
前記防振部材１５０は、振動モーター１３０とノズルカバー１１０との間に密着して、振動モーター１３０による振動がノズルカバー１１０へ伝達されないように遮断する役割を果たす。
【００３９】
前記防振部材１５０の中央には、シャフト１３１がノズルチップ１２０に結合されるように開放された貫通孔１５１が形成され、前記貫通孔１５１の両側には、収容空間１５２が延長形成されるが、この収容空間は、洗浄水供給管１４０をそれぞれ支持するように収容する役割を果たす。
【００４０】
前記防振部材１５０の収容空間１５２は、振動モーター１３０の両側に位置することが好ましいが、洗浄水供給管１４０の配列位置に応じて方向が変わることもある。
【００４１】
また、前記ノズルカバー１１０の後端には、振動モーター１３０がノズルカバー１１０から分離されないようにする閉止カバー１６０が結合される。
【００４２】
前記閉止カバー１６０は、中央が開口した形状を有し、上述のように開口した案内空間１６１には、洗浄水供給管１４０がビデの内側に連結され、前記閉止カバー１６０の下部に形成された支持片１６２は、振動モーター１３０の後端に結合された防振部材１５０の後方に密着して、振動モーター１３０がノズルカバー１１０の内側で遊動しないように堅固に結合される。
【００４３】
上述のように構成される本発明に係るビデの振動ノズル１００は、図５及び図６に示すように、ビデコントロール部の洗浄ボタンを作動させると、ビデ内の水槽を介して、シャフト１３１の両側に配置された洗浄水供給管１４０のうち、洗浄水噴出孔１２１ａに連結された洗浄水供給管１４０へ洗浄水が供給されるとともに、ノズルチップ１２０の洗浄水噴出孔１２１ａ側へ洗浄水が供給される。
【００４４】
この際、前記振動モーター１３０は、速い速度で振動を起こし、シャフト１３１は、秒あたり６０，０００回以上に振動しながら一定間隔離隔している位置のノズルチップ１２０に振動を伝達する。
【００４５】
また、前記ノズルチップ１２０に供給された洗浄水は、洗浄水噴出孔１２１ａを介して噴出されるとともに、前記洗浄水は、前記ノズルチップ１２０に伝達される振動によって活発なアクションを付与する。これにより、微細な粒子が形成されてＳラインの曲線をなしながら分散されることにより、ユーザーの洗浄部位をより清潔に洗浄することができる。
【００４６】
以上のように、本発明は、たとえ限定された実施形態と図面によって説明されたが、本明細書及び請求の範囲で使用された用語や単語は、通常的または辞典的な意味に限定されて解釈されてはならず、本発明の技術的思想に合致する意味と概念で解釈されるべきである。
【００４７】
したがって、本明細書に記載された実施形態と図面に示された構成は、本発明の一実施形態に過ぎず、本発明の技術的思想をすべて代弁するのではないため、本発明の請求の範囲を逸脱することなく様々な均等物と変形例があり得ることを理解すべきである。
【図１】
2021517939.tif 000003
【図２】
2021517939.tif 000004
【図３】
2021517939.tif 000005
【図４】
2021517939.tif 000006
【図５】
2021517939.tif 000007
【図６】
2021517939.tif 000008
【国際調査報告】
2021517939.tif 000009
2021517939.tif 000010
2021517939.tif 000011
2021517939.tif 000012